(57)【要約】【課題】三脚の脚部を引き出し可能に収容している三脚一体化ケースをカメラボデーの外壁に着脱可能としたカメラを提供すること。【解決手段】三脚収容ケース２は、下方へ引き出し可能な３本の脚部４，５，６を内蔵している。また、三脚収容ケース２の上部に設けられた軸２ｂには、ラッチ部３ａを有するラッチ部材３が回転可能に取り付けられ、ばね７によって時計方向へ回転するように付勢されており、三脚収容ケース２の下部には、爪部２ｅが設けられている。カメラボデー１の外壁には、左上隅に被ラッチ部１ｂが形成され、左下隅には被係止部１ｃが形成されていて、三脚収容ケース２は、ラッチ部３ａを被ラッチ部１ｂに掛け、爪部２ｅを被係止部１ｃに係合させて、取り付けられている。三脚収容ケース２の取り外しは、ラッチ部材３を、バネ７の付勢力に抗して反時計方向へ回転させれば可能となる。【選択図】  図１
2004347839.tif 000002
【特許請求の範囲】
【請求項１】
カメラボデーの一方の側方外壁面近傍部位に少なくとも一つの被ラッチ部と少なくとも一つの被係止部が形成されており、三脚の各脚部を個別に引き出し可能に収容している三脚収容ケースは、ばねに付勢されてラッチ部を前記被ラッチ部に掛け止めする少なくとも一つのラッチ部材と、前記被係止部に係合させる少なくとも一つの爪部とを有していて、前記ラッチ部材を操作することによって、前記三脚収容ケースを前記カメラボデーに着脱可能としたことを特徴とするカメラ。
【請求項２】
前記各脚部が、太さの異なるロッドを有していて、より細いロッドがより太いロッドに引き出し可能に格納される構成をしており、該細い方のロッドには、該太い方のロッド内に常に存在している端部に摩擦部材が取り付けられていて、該太い方のロッドの内壁と該摩擦部材との摩擦により、無段階に長さを調整することが可能になっていることを特徴とする請求項１に記載のカメラ。
【発明の詳細な説明】
【０００１】
【発明の属する技術分野】
本発明は、三脚を収容しているケースをカメラの外壁に着脱可能としたカメラに関する。
【０００２】
【従来の技術】
デジタルスチルカメラの場合でも銀塩カメラの場合でも、セルフタイマを用いた撮影や長時間露光の撮影をするときは、カメラを三脚に取り付けて行なうのが普通である。そして、一眼レフカメラ等の重量の大きいカメラの場合には、三脚も大型となるため、それらを別々にして携帯せざるを得ない。しかしながら、コンパクトカメラのような小型カメラの場合には、三脚自体も小さくて済むことから、別々に携帯すると、三脚をどこへ入れたか分からなくなったり、うっかりして紛失してしまうようなことがある。そのため、これまでにも、小型の三脚の場合は、カメラから離さないで携帯できるようにする工夫がなされ、提案されている。そして、それらのうち、カメラ自体を大きくすることなく、カメラ内に三脚を収容できるようにしたカメラが、特許文献１に記載されている。
【０００３】
【特許文献１】
特開平１０−６２８５３号公報（第３，４頁、図１−４）
【０００４】
【発明が解決しようとする課題】
特許文献１に記載のカメラは、フィルム巻き取り用の中空のスプール内に、三脚を収容できるようにしているため、カメラ自体を大きくしなくて済むという点で優れている。しかしながら、スプール内の細長い空間は、直径も小さいし長さも短い。そのため、三脚の３本の脚部の太さは非常に細くなってしまい、材質等の選定や開脚部の設計・製作が極めて難しくなってしまう。また、各脚部が細いことから長さを伸縮可能な構成にすることもできない。そのため、コストの割りには小さ過ぎる三脚となってしまい、機能性の点でも優れたものとは言えないものになってしまう。更に、このような構成は、フィルム巻き取り用のスプールを中空にすることの可能なカメラにしか採用することができず、また、デジタルスチルカメラのように、フィルム巻き取り用のスプールを備えていないカメラには採用することが不可能である。
【０００５】
本発明は、このような問題点を解決するためになされたものであり、その目的とするところは、三脚を引き出し可能に収容している三脚一体化ケースをカメラボデーの外壁に着脱可能とすることによって、三脚が余り小さくなり過ぎなくて済み、且つ三脚を携帯しないときはケースごと取り外しができ、しかも、三脚を携帯するときには、カメラのデザインを損なわずに取り付けられ、その取付状態のままで、三脚を用いた撮影も三脚を用いない撮影も行なえるようにしたカメラを提供することである。
【０００６】
【課題を解決するための手段】
上記の目的を達成するために、本発明のカメラは、カメラボデーの一方の側方外壁面近傍部位に少なくとも一つの被ラッチ部と少なくとも一つの被係止部が形成されており、三脚の各脚部を個別に引き出し可能に収容している三脚収容ケースは、ばねに付勢されてラッチ部を前記被ラッチ部に掛け止めする少なくとも一つのラッチ部材と、前記被係止部に係合させる少なくとも一つの爪部とを有していて、前記ラッチ部材を操作することによって、前記三脚収容ケースを前記カメラボデーに着脱可能としている。
【０００７】
その場合、前記各脚部が、太さの異なるロッドを有していて、より細いロッドがより太いロッドに引き出し可能に格納される構成をしており、該細い方のロッドには、該太い方のロッド内に常に存在している端部に摩擦部材が取り付けられていて、該太い方のロッドの内壁と該摩擦部材との摩擦により、無段階に長さを調整することが可能になっていると、三脚の機能が好適なものとなる。
【０００８】
【発明の実施の形態】
本発明の実施の形態を、図示した実施例によって説明する。尚、図１は、実施例の正面図であり、図２は、図１の底面図であり、図３は、図１の左側面図である。また、図４は、三脚の開脚状態を示した実施例の正面図であって、図５は、その状態における三脚収容ケース内の一部を示した断面図であり、図６は、三脚の１本の脚部の構成を示した断面図である。更に、図７は、図１の状態から三脚収容ケースを取り外す場合における初期状態を示した正面図であり、図８は、カメラボデーから三脚収容ケースを取り外した状態を示す正面図である。
【０００９】
図１〜図３において、カメラボデー１には、レンズ鏡胴１ａが取り付けられている。また、三脚収容ケース２は、隔壁２ａを有していて、その上部には、ラッチ部材３が、軸２ｂに回転可能に取り付けられており、ばね７によって、図１においては、時計方向へ回転するように付勢されている。また、隔壁２ａの下部には、図２から分かるように、３本の脚部４，５，６が収容されていて、三脚収容ケース２の底面に形成された孔２ｃへコインや手の指の爪を挿入することによって、外部へ引き出せるようになっている。
【００１０】
図４は、その３本の脚部４，５，６を三脚収容ケース２から引き出し、開脚させた状態を示したものである。脚部４，５，６の構成は、いずれも同じである。そのため、脚部４の構成だけを説明することにする。図５に示されているように、脚部４の収容筒８は、金属製であって、基体２ｄに形成された縦長の孔に挿入されており、その上端に形成されたフランジ部を、上記の隔壁２ａと基体２ｄとで挟みつけるようにして固定されている。そして、その収容筒８の下端は、図６に示されているように、上記した孔２ｃの近傍位置にあり、絞り加工によって、開口部が内径よりも小さくなるように形成されている。
【００１１】
脚部４は、各々金属製の第１ロッド４ａと、第２ロッド４ｂと、第３ロッド４ｃとを有している。そのうち、第１ロッド４ａと第２ロッド４ｂとは太さ（外径）が略同じであるが、第２ロッド４ｂは筒状の中空部を有していて、その下端の開口は、絞り加工によって、内径よりも小さくなるように形成されている。また、第３ロッド４ｃは第１ロッド４ａと同様に中空部を有していないが、第１ロッド４ａ及び第２ロッド４ｂよりも太さ（外径）が細くなっている。
【００１２】
第１ロッド４ａの上端には、その上端部よりも若干直径の大きな摩擦部材９が取り付けられていて、その円周面が収容筒８の内壁と接するようになっている。そのため、第１ロッド４ａは、力を加えたときだけ、収容筒８に対して、軸方向に移動することも、回転方向へ回転することも可能になっているが、その力を解けば、再び力を加えない限り、その状態が保てるようになっている。そして、第１ロッド４ａの下方には、すり割り部が形成されている。
【００１３】
第２ロッド４ｂは、その上端に形成された板状部を、第１ロッド４ａのすり割り部に挿入し、ねじ１０によって取り付けられている。その場合、第２ロッド４ｂの板状部に形成されている孔の直径が、ねじ１０のねじ径よりも大きいため、第２ロッド４ｂは、ねじ１０を軸にして、第１ロッド４ａに対して回転可能となっている。そのため、脚部４は、第１ロッド４ａを収容筒８に対して回転させると開脚方向が決められ、第２ロッド４ｂを第１ロッド４ａに対して回転させると、開脚角度が決められるようになっている。尚、図６からも分かるように、実際には、この第２ロッド４ｂは、その上方の位置で分割された二つの部品で構成され、両者は溶着によって一体化されている。
【００１４】
第３ロッド４ｃの上端には、その上端部よりも若干直径の大きな摩擦部材１１が、接着剤によって取り付けられており、その円周面が第２ロッド４ｂの内壁と接するようになっている。そのため、第３ロッド４ｃは、力を加えたときだけ、第２ロッド４ｂに対して、軸方向に移動することも、回転方向へ回転することも可能になっているが、その力を解けば、再び力を加えない限り、その状態が保てるようになっており、その軸方向の移動量を選択することによって、脚部４全体の長さを無段階に変えられるようなっている。そして、この第３ロッド４ｃの下方には円盤状の接地部が取り付けられていて、脚部４を三脚収容ケース２から引き出すときの引っ掛け部の役目と、脚部４を接地させる役目と、三脚収容ケース２に押し込むとき押し込み過ぎないようにする役目をしているが、この接地部は、ボールジョイントなどで首振り可能に取り付けると、好適な接地が行なえるようになる。
【００１５】
そこで、これらのロッド４ａ，４ｂ，４ｃの取付け方を説明する。先ず、第１ロッド４ａは、摩擦部材９を取り付けた状態で、収容筒８が上記のようにして固定される前に、収容筒８の内部に挿入され、そのすり割り部が、収容筒８の下方へ突き出るようにさせられる。他方、第３ロッド４ｃは、摩擦部材１１を取り付けた状態で、第２ロッド４ｂの内部に挿入され、その下端を第２ロッド４ｂの下方へ突き出しておいて、そこに上記の接地部を取り付ける。その後、第２ロッド４ｂを構成する２部品を溶着する。そして、第１ロッド４ａと第２ロッド４ｂとをねじ１０によって取り付けておいてから、収容筒８を三脚収容ケース２に取り付ける。
【００１６】
尚、本実施例では第１ロッド４ａのほかに、第２ロッド４ｂと第３ロッド４ｃとを有しているが、第３ロッド４ｃを設けない構成とすることも可能である。そして、そのようにする場合には、長さの選択が不可能となるため、第２ロッド４ｂは、中空であっても中空でなくても構わないが、下端部には、第３ロッド４ｃに設けられているような接地部を設けることになる。また、本実施例における第３ロッド４ｃに対し、第３ロッド４ｃより細い第４ロッドを継ぎ足すことも可能である。そのようにする場合には、その第４ロッドを第３ロッド４ｃと同じ構成にして、第３ロッド４ｃを中空にすればよい。そして、第４ロッドの取り付けは、第３ロッド４ｃに摩擦部材１１を接着する前に行なわれることになる。
【００１７】
次に、三脚収容ケース２をカメラボデー１に着脱可能に取り付けるための構成と、その着脱方法とを、主に図７及び図８を用いて説明する。上記したラッチ部材は、三脚収容ケース２からカメラボデー１側に突き出た端部が爪状のラッチ部３ａとして形成されており、カメラボデー１の左上隅には、そのラッチ部３ａを受け入れるための凹状をした被ラッチ部１ｂが形成されている。また、三脚収容ケース２の下方位置には、カメラボデー１側に突き出た爪部２ｅが形成されており、カメラボデー１の左下隅には、その爪部２ｅを受け入れるための凹状をした被係止部１ｃが形成されている。
【００１８】
本実施例は、コンパクトカメラのような小型のカメラを対象にしているため、通常は、三脚収容ケース２をカメラボデー１に取り付けた状態で携帯し、三脚を使用しない撮影の場合には、図１の状態で行なわれ、三脚を使用する撮影の場合には、例えば図４の状態にして行なわれる。しかしながら、三脚を使用しないことが明らかであって携帯性をより良好にしたい場合や、当面撮影をすることがなくカメラをしまい易くしたい場合には、三脚収容ケース２をカメラボデー１から簡単に取り外しやすいようになっている。
【００１９】
図７は、その取り外し操作を説明するためのものであり、指先の爪などによってラッチ部材３の一端をばね７の付勢力に抗して押し込み、ラッチ部３ａによるラッチを解除した状態を示したものである。このとき、爪部２ｅは未だ被係止部１ｃと係合しているので、カメラボデー１に対して三脚収容ケース２を若干下方へ移動させた後、左方向へ移動させると、両者は分離された状態になる。その状態が、図８に示されている。この状態では、被ラッチ部１ｂと被係止部１ｃが露出することになるが、カメラの正面側や背面側のデザインには何の影響も無いので、このままカメラだけを携帯したとしても、何の問題もない。
【００２０】
また、カメラボデー１に対して三脚収容ケース２を装着する場合は、上記と逆の操作をすることになり、最後に、ばね７の付勢力によって、ラッチ部材３のラッチ部３ａが、カメラボデー１の被ラッチ部１ｂに掛け止めされ、図１に示された状態になる。このとき、図３に示すように、ばね７が外部から僅かに見えることになるが、ラッチ部材は埋設状態になっているので、全体のデザインには何の影響も及ぼさない。また、ラッチ部材３は、指の爪などを使わなければ操作することができないし、ばね７の付勢力を好適な強さにしておけば、携帯中に三脚収容ケース２がカメラボデー１から離脱してしまうようなことがない。
【００２１】
尚、本実施例においては、カメラボデー１の外壁に対する着脱部が、カメラの側方の上方の隅と下方の隅に、正面からは見えないようにして設けているが、カメラのデザイン上で許容されるなら、見えるようにしても差し支えないし、その場合には、上方の隅と下方の隅に限らず、カメラの側方であればどこの位置に設けても差し支えない。また、それらの装着部は、本実施例のように２箇所とせず、３箇所以上としても差し支えない。但し、着脱部を増設する場合であっても、少なくとも一つの着脱部には、本実施例のラッチ部材３のような可動部材を有したラッチ構成が必要となる。その場合、本実施例における爪部２ｅと被係止部１ｃのような係止構成を少なくとも一つ採用すると、ラッチ構成を採用した場合よりはコスト上で有利になる。
【００２２】
【発明の効果】
以上のように、本発明のカメラは、三脚を引き出し可能に収容している三脚一体化ケースをカメラボデーの外壁に着脱可能としたので、三脚が余り小さくなり過ぎなくて済み、且つ三脚を携帯しないときはケースごと取り外すことができ、しかも、三脚を携帯するときには、カメラのデザインを損なわずに取り付けられ、その取付状態のままで、三脚を用いた撮影も三脚を用いない撮影も行なえるという特徴がある。
【図面の簡単な説明】
【図１】実施例の正面図である。
【図２】図１の底面図である。
【図３】図１の左側面図である。
【図４】三脚の開脚状態を示した実施例の正面図である。
【図５】実施例における三脚収容ケース内の一部を示した断面図である。
【図６】図４の状態における三脚の１本の脚部の構成を示した断面図である。
【図７】図１の状態から三脚収容ケースを取り外す場合における初期状態を示した正面図である。
【図８】カメラボデーから三脚収容ケースを取り外した状態を示した正面図である。
【符号の説明】
１                      カメラボデー
１ａ                    レンズ鏡胴
１ｂ                    被ラッチ部
１ｃ                    被係止部
２                      三脚収容ケース
２ａ                    隔壁
２ｂ                    軸
２ｃ                    孔
２ｄ                    基体
２ｅ                    爪部
３                      ラッチ部材
３ａ                    ラッチ部
４，５，６              脚部
４ａ                    第１ロッド
４ｂ                    第２ロッド
４ｃ                    第３ロッド
７                      ばね
８                      収容筒
９，１１                摩擦部材
１０                    ねじ
【図１】
2004347839.tif 000003
【図２】
2004347839.tif 000004
【図３】
2004347839.tif 000005
【図４】
2004347839.tif 000006
【図５】
2004347839.tif 000007
【図６】
2004347839.tif 000008
【図７】
2004347839.tif 000009
【図８】
2004347839.tif 000010